(57)【要約】【課題】本考案の刈払機用の回転刈刃および回転刈刃の包装容器は、回転刈刃の取付孔とギヤケース内の取付螺軸との間にそれぞれの公差に伴う遊び（隙間）を生じ、回転切刃の軽量化がはかられても、刈払作業における回転切刃の振動の低減が容易かつ確実はかれ、しかも構造が簡単にして製作および組付けを容易に行おうとするものである。【解決手段】本考案は、切刃２を外周に有し、取付孔６が中央に設けられた刈刃本体１の前記取付孔内に刈払機の操作杆３の先端に設けたギヤケース４内の取付螺軸５が挿入され、該取付螺軸にナット７、座金９等を介して前記刈刃本体に着脱可能に取付けられる刈払機用の回転刈刃において、前記刈刃本体１の少なくとも片面に、合成樹脂柔軟シートＳよりなる緩衝膜体８が取付孔６の周囲に全部または部分的に貼着され、緩衝膜体の内周縁は取付孔６内に挿入可能な遊離端８ａが設けられる。【選択図】図１
0003103051.tif 000002
【実用新案登録請求の範囲】
【請求項１】
切刃を外周に有し、取付孔が中央に設けられた刈刃本体の前記取付孔内に刈払機の操作杆の先端に設けたギヤケース内の取付螺軸が挿入され、該取付螺軸にナット、座金等を介して前記刈刃本体が着脱可能に取付けられる刈払機用の回転刈刃において、前記刈刃本体の少なくとも片面に、合成樹脂柔軟シートよりなる緩衝膜体が前記取付孔の周囲に全部または部分的に貼着され、該緩衝膜体の内周縁は前記取付孔内に挿入可能な遊離端が設けられることを特徴とする刈払機用の回転刈刃。
【請求項２】
前記緩衝膜体は、全体形状が平面略環状に形成され、中央には前記取付孔よりも小径な孔部が設けられることにより前記遊離端となしていることを特徴とする請求項１に記載の刈払機用の回転刈刃。
【請求項３】
前記緩衝膜体は、全体形状が平面略半環状に形成され、中央には前記取付孔よりも小径な円弧状内縁部が設けられることにより前記遊離端となしていることを特徴とする請求項１に記載の刈払機用の回転刈刃。
【請求項４】
前記刈刃本体は径大な合成樹脂柔軟シートにより覆い隠され、該合成樹脂柔軟シートは前記刈刃本体に占められる残余部が台紙に貼着され、該合成樹脂柔軟シートには、前記緩衝膜体の輪郭部と、合成樹脂柔軟シートの外縁部から前記輪郭部までとにミシン線または切線が設けられ、該輪郭部により囲まれる緩衝膜体は前記ミシン線または切線を介して前記切刃本体の前記取付孔の周囲に残存可能に設けられることを特徴とする請求項１，請求項２,請求項３の何れかに記載の刈払機用の回転刈刃。
【請求項５】
前記緩衝膜体および／または包装容器の台紙には、社名、商品名、スローガン、取り扱い説明、注意書等が印刷等の適宜表示手段よりなる表示部が表示されたことを特徴とした請求項１, 請求項２, 請求項３, 請求項４に記載の刈払機用の回転刈刃。
【請求項６】
切刃を外周に有する切刃本体の中央に設けた取付孔に刈払機の操作杆の先端に設けたギヤケース内の取付螺軸が挿入されてナット、座金等を介して前記取付螺軸に切刃本体を着脱可能に取付けた刈払機用の回転刈刃を梱包するものであり、前記切刃本体よりも僅かに径大の包装台紙部の上縁、下縁、左縁の三方に小幅な切曲片を切刃本体を包み込むように内方に折曲可能に連設するとともに前記包装台紙部の一側には該包装台紙部と略同大の表装紙部を開閉可能に連設し、他側の前記折曲片に突成した差込片部を前記表装紙部の側縁に設けた差込孔内に抜差可能に設けた包装容器の内面に、前記切刃本体に設ける取付孔の周囲の全部又は一部に貼着された合成樹脂柔軟シートよりなる緩衝膜体の内周縁に嵌入される嵌入部を突成したことを特徴とした刈払機用の回転刈刃の包装体。
【請求項７】
径大な合成樹脂柔軟シートにて刈刃本体は覆い隠されて該刈刃本体が占める前記合成樹脂柔軟シートの残余部が台紙に貼着され、該合成樹脂柔軟シートには、前記切刃本体の取付孔の周囲に全部または部分的に貼着される緩衝膜体の輪郭部を囲む部分と、合成樹脂柔軟シートの外縁部から前記輪郭部にまでミシン線または切線とが設けられ、該輪郭部により囲まれる前記緩衝膜体は前記ミシン線または切線を介して前記切刃本体の前記取付孔の周囲に残存して貼着されることを特徴とする刈払機用の回転刈刃の包装体。
【考案の詳細な説明】
【技術分野】
【０００１】
本考案は刈払機用の回転刈刃および回転刈刃の包装容器に関し、草刈りに用いる刈払機の操作杆の先端に設けたギヤケース内の取付螺軸に、該取付螺軸と該取付螺軸に取付けられる刈刃本体に設ける取付孔との公差に伴う遊び内に介在されることによって刈刃本体が振動を生じたり、がたつくことなく構造堅牢に刈刃本体を取付螺軸に取付けるものである。
【背景技術】
【０００２】
従来、例えば刈払機用の回転刈刃は、刈刃本体の中央に設けた取付孔内に刈払機の操作杆の先端に設けるギヤケース内の取付螺軸を挿入し、この取付螺軸に座金、ナット等を用いて締付けることにより取付けが行われていた。そして、回転刈刃の取付孔とギヤボックス内の取付螺軸とはそれぞれ公差を有して形成されている。
ＪＩＳでは取付孔の公差は０ｍｍ〜＋０．１５ｍｍに規定されているので、多くの回転刈刃の取付孔は、プラス公差により形成されている。また、ギヤケースの取付螺軸は、前記回転刈刃の公差を考慮してマイナス公差で形成されている。従って、取付螺軸を回転刈刃の取付孔内に組付けると、必ず公差に伴う遊び（隙間）を生ずることになる。この公差を考えると、取付螺軸と取付孔とは０．１ｍｍ程度の偏心を生じて組付けられることもある。
また、刈払機は、取扱い易くする観点から、計量化がはかられ、しかも刈払機ばかりではなく、回転刈刃自体も取扱い易く、安全性を考慮して軽量化がはかられている。そして、刈払機の回転系の構成部材のうちで、回転刈刃の占める度合いが大きいものであった（例えば特許文献１参照）。
【０００３】
また、刈払機用の回転刈刃を保管したり、運搬するのに梱包される包装容器としては、回転刈刃を収容する面積を有するように形成される裏面側の包装台紙部の上縁、下縁、左縁の三方に小幅な折曲片を回転刈刃を包み込むように内方に折曲可能に連設するとともに包装台紙部の一側には包装台紙部と略同大の表装紙部を開閉可能に連設し、他側の前記折曲片に突成した差込片部を前記表装紙部の側縁に設けた差込孔内に抜差可能に設けた箱形のものがある。
【特許文献１】特開２００２−３６００２９号公報
【考案の開示】
【考案が解決しようとする課題】
【０００４】
しかしながら、特許文献１に記載の刈払機用の回転刈刃は、回転刈刃の取付孔とギヤボックス内の取付螺軸とは、ＪＩＳでは回転刈刃の取付孔は、プラス公差により形成され、また、ギヤケースの取付螺軸は、マイナス公差で形成されるので、取付螺軸を回転刈刃の取付孔内に組付けると、必ず公差に伴う遊び（隙間）を生ずることになるため、取付螺軸と取付孔とは０．１ｍｍ程度の偏心を生じて組付けられる。従って、通常の作業にてエンジンの回転数を６,０００ｒｐｍ前後にて刈払作業が行われ、回転刈刃が回転されると、回転刈刃は偏心して回転されることによりいわゆるブレを生じたり、振動が増大されるという欠点がある。そして、回転刈刃に振動を生ずる原因は、回転刈刃の形状が不均一に形成されるのと、前述のように回転刈刃の取付孔とギヤボックス内の取付螺軸との間にそれぞれの公差に伴う遊び（隙間）を生ずることとが大きく起因する。しかも、回転刈刃自体が軽量化されることにより、振動は一層顕著に現れる。
【０００５】
本考案は、上記従来の欠点を解決し、回転刈刃の取付孔と刈払機のギヤボックス内の取付螺軸との間にそれぞれの公差に伴う遊び（隙間）を生じ、また回転刈刃の軽量化がはかられても、刈払作業における回転刈刃の振動の低減が容易かつ確実はかれ、しかも構造が簡単にして製作および組付けが容易に行え、製作コストが安価になる刈払機用の回転刈刃および回転刈刃の包装容器を提供することを目的とする。
【課題を解決するための手段】
【０００６】
本考案は上記課題に鑑みなされ、請求項１に記載の考案は、切刃を外周に有し、取付孔が中央に設けられた刈刃本体の前記取付孔内に刈払機の操作杆の先端に設けたギヤケース内の取付螺軸が挿入され、該取付螺軸にナット、座金等を介して前記刈刃本体が着脱可能に取付けられる刈払機用の回転刈刃において、前記刈刃本体の少なくとも片面に、合成樹脂柔軟シートよりなる緩衝膜体が前記取付孔の周囲に全部または部分的に貼着され、該緩衝膜体の内周縁は前記取付孔内に挿入可能な遊離端が設けられることを特徴とするという手段を採用した。
【０００７】
また、本考案の請求項２に記載の考案は、請求項１において、前記緩衝膜体は、全体形状が平面略環状に形成され、中央には前記取付孔よりも小径な孔部が設けられることにより前記遊離端となしていることを特徴とするという手段を採用した。
【０００８】
また、本考案の請求項３に記載の考案は、請求項１において、前記緩衝膜体は、全体形状が平面半環状に形成され、中央には前記取付孔よりも小径な円弧状の内縁部が設けられることにより前記遊離端となしていることを特徴とするという手段を採用した。
【０００９】
また、本考案の請求項４に記載の考案は、請求項１，請求項２,請求項３の何れかにおいて、前記刈刃本体は径大な合成樹脂柔軟シートにより覆い隠され、該合成樹脂柔軟シートは前記刈刃本体に占められる残余部が台紙に貼着され、該合成樹脂柔軟シートには、前記緩衝膜体の輪郭部と、合成樹脂柔軟シートの外縁部から前記輪郭部までとにミシン線または切線が設けられ、該輪郭部により囲まれる緩衝膜体は前記ミシン線または切線を介して前記切刃本体の前記取付孔の周囲に残存可能に設けられることを特徴とするという手段を採用した。
【００１０】
また、本考案の請求項５に記載の考案は、請求項１, 請求項２, 請求項３, 請求項４において、前記緩衝膜体および／または包装容器の台紙には、社名、商品名、スローガン、取り扱い説明、注意書等が印刷等の適宜表示手段よりなる表示部が表示されたことを特徴としたという手段を採用した。
【００１１】
また、本考案の請求項６に記載の考案は、切刃を外周に有する切刃本体の中央に設けた取付孔に刈払機の操作杆の先端に設けたギヤケース内の取付螺軸が挿入されてナット、座金等を介して前記取付螺軸に切刃本体を着脱可能に取付けた刈払機用の回転刈刃を梱包するものであり、前記回転刈刃よりも僅かに径大の包装台紙部の上縁、下縁、左縁の三方に小幅な切曲片を切刃本体を包み込むように内方に折曲可能に連設するとともに包装台紙部の一側には前記包装台紙部と略同大の表装紙部を開閉可能に連設し、他側の前記折曲片に突成した差込片部を前記表装紙部の側縁に設けた差込孔内に抜差可能に設けた包装容器の内面に、前記切刃本体に設ける取付孔の周囲の全部又は一部に貼着された合成樹脂柔軟シートよりなる緩衝膜体の内周縁に嵌入される嵌入部を突成したことを特徴としたという手段を採用した。
【００１２】
また、本考案の請求項７に記載の考案は、径大な合成樹脂柔軟シートにて刈刃本体は覆い隠されて該刈刃本体が占める前記合成樹脂柔軟シートの残余部が台紙に貼着され、該合成樹脂柔軟シートには、前記切刃本体の取付孔の周囲に全部または部分的に貼着される緩衝膜体の輪郭部を囲む部分と、合成樹脂柔軟シートの外縁部から前記輪郭部にまでミシン線または切線が設けられ、該輪郭部により囲まれる前記緩衝膜体は前記ミシン線または切線とを介して前記切刃本体の前記取付孔の周囲に残存して貼着されることを特徴とするという手段を採用した。
【考案の効果】
【００１３】
本考案は、上記従来の欠点を解決し、切刃本体の取付孔と刈払機のギヤボックス内の取付螺軸との間にそれぞれの公差に伴う遊び（隙間）を生じても、または切刃本体の軽量化がはかられても、刈払作業における切刃本体の振動の低減が容易かつ確実はかれ、しかも構造が簡単にして製作および組付けが容易に行え、製作コストを安価になる。
【考案を実施するための最良の形態】
【００１４】
以下、図面に従って本考案の実施の最良の形態により、本発明の詳細を説明する。
【００１５】
図１は本考案の刈払機用の回転刈刃の実施形態１を示す分解斜視図、図２は同じく回転刈刃を組付けた拡大断面図、図３は同じく平面図、図４は同じく側面図、図５は同じく本実施形態１を構成する刈刃本体１を示す拡大断面図である。
【００１６】
この実施形態１は、複数の切刃２を外周に有し、取付孔６が中央に設けられた刈刃本体１の前記取付孔６内に刈払機の操作杆３の先端に設けるギヤケース４内の取付螺軸５が挿入され、該取付螺軸５にナット７、座金９等を介して前記刈刃本体１が着脱可能に取付けられる刈払機用の回転刈刃において、前記刈刃本体１の少なくとも片面に、合成樹脂柔軟シートＳよりなる緩衝膜体８が前記取付孔６の周囲全部にわたり貼着され、該緩衝膜体８の内周縁は前記取付孔６内に挿入可能な遊離端８ａが設けられる。この遊離端８ａは、数ｍｍ〜数ｃｍほど取付孔６の内周側に遊離した状態で突成され、刈刃本体１の取付孔６内にギヤケース４の取付螺軸５を挿入して取付螺軸５に刈刃本体１を取付ける時に座金９の立壁部９ａに外側（半径方向）に押圧されて取付孔６の内周面に遊離端８ａが接触するように予め取付孔６の内周向きに附勢するようになっていることが望ましい。
【００１７】
そして、前記緩衝膜体８は、本実施形態１においては、図３に示すように全体形状が平面略環状に形成され、中央には前記取付孔６よりも小径な孔部８ｂが設けられている。
【００１８】
また、緩衝膜体８を形成すべき合成樹脂柔軟シートＳとしては、熱可塑性の合成樹脂、例えばポリエチレン、ポリプロピレン、ポリスチレン、ポリアミド樹脂、ポリカーボネート樹脂よりなる柔軟性を有するシートが最適に用いられる。そして、合成樹脂柔軟シートＳよりなる緩衝膜体８を切刃本体１の取付孔６の周囲に貼着するのには、例えば接着剤を用いて合成樹脂柔軟シートＳを接着したり、またはホットメルト接着剤を用いて加熱し、接着することができる。
【００１９】
また、前記緩衝膜体８には、例えば社名、商品名を印刷等の適宜表示手段により表示することにより、緩衝膜体８を刈刃本体１に貼着したまま使用する場合に、使用に際して表示されることにより商品の指標となって商品を保証するほか、例えばスローガン、取り扱い説明、注意書等の所望事項を印刷等の適宜表示手段よりなる表示部１０として表示されることにより、切刃本体１の取り扱い方法を正確に把握することができ、しかも注意を促すことができる。
【００２０】
本実施形態１は以上の構成からなり、刈払機の操作杆３の先端に設けたギヤケース４内の取付螺軸５に、複数の切刃２を外周に有する刈刃本体１を取付たり、または刈刃本体１を取り外したりするのには、切刃本体１の中央に設けた取付孔６内に座金９の立壁部９ａを挿入し、しかもこの座金９を介して取付螺軸５を切刃本体１の中央に設けた取付孔６内に挿入の上、前記取付螺軸５にナット７を螺合したり、螺退したりすることにより切刃本体１を前記取付螺軸５に着脱可能に取付けるようにする点については、刈払機の従来の回転刈刃と同様の取扱および取付方法である。
【００２１】
しかしながら、本実施形態１では、刈刃本体１の少なくとも片面に、合成樹脂柔軟シートＳよりなり、図３に示すように全体形状が平面略環状に形成されて中央には取付孔６よりも小径な孔部８ｂが設けられた緩衝膜体８が、取付孔６の周囲全部にわてり貼着され、しかも該緩衝膜体８の孔部８ｂの内周縁は前記取付孔６内に挿入可能な遊離端８ａが数ｍｍ〜数ｃｍほど取付孔６の内周側に遊離した状態で突成されるので、刈刃本体１の取付孔６内にギヤケース４の取付螺軸５を挿入して取付螺軸５に刈刃本体１を取付けると、刈刃本体１の取付孔６内に遊離されている緩衝膜体８の遊離端８ａは取付螺軸５が挿入される座金９の立壁部９ａに外側（半径方向に向かって）押圧されるため、取付孔６の内周面に接触するように介装される。
この際、緩衝膜体８の遊離端８ａは、刈刃本体１の取付孔６内にギヤケース４の取付螺軸５を挿入して取付けられる座金９の立壁部９ａに押圧されて取付孔６の内周面に接触するように予め取付孔６の内周に向かって半径方向に附勢されていることが望ましい。
【００２２】
このように、ギヤケース４の取付螺軸５と刈刃本体１の取付孔６との間には、取付孔６の周囲に貼着された熱可塑性の合成樹脂、例えばポリエチレン、ポリプロピレン、ポリスチレン、ポリアミド樹脂、ポリカーボネート樹脂等の合成樹脂柔軟シートＳよりなる全体形状が略環状の緩衝膜体８の孔部８ｂの内周縁に突成した遊離端８ａが、取付孔６の内周面に介装されて接触されるので、刈払機のエンジンの回転数を６,０００ｒｐｍ程度にて回転駆動する通常の刈払作業にて、回転刈刃が回転される場合に、この緩衝膜体８および内周縁に突設した遊離端８ａとが発揮する柔軟な緩衝作用により回転刈刃の振動が低減される。
【００２３】
そして、回転刈刃に設ける取付孔６とギヤケース４内の取付螺軸５との間に、ＪＩＳでは取付孔６の公差はプラス公差として０ｍｍ〜＋０．１５ｍｍに規定され、また、ギヤケース４の取付螺軸５は、マイナス公差で形成されることにより取付螺軸５を回転刈刃の取付孔６内に組付けた場合に、必ず公差に伴う遊び（隙間）を生ずる結果、取付螺軸５と取付孔６とは０．１ｍｍ程度の偏心を生じて組付けられる場合でも、緩衝膜体８の遊離端８ａが刈刃本体１の取付孔６と座金９の立壁部９ａとの間に介装されることにより前述の偏心による間隙をこの遊離端８ａが埋めるように刈刃本体１が取付けられるため、振動による回転刈刃の振動が円滑かつ確実に低減される。
また、刈払機は、取扱い易くする観点から、計量化がはかられ、そのうえ回転刈刃自体も取扱い易く、安全性を考慮して軽量化がはかられている場合でも回転刈刃の振動が円滑かつ確実低減される。
【００２４】
また、合成樹脂柔軟シートＳにより全体形状が略環状に形成され、刈刃本体１の取付孔６の周囲に貼着された本実施形態１の前述の略環状の緩衝膜体８には、例えば社名、商品名を印刷等の適宜表示手段により表示したり、商品の指標となって商品を保証するほか、例えばスローガン、取り扱い説明、注意書等の所望事項が印刷等の適宜表示手段よりなる表示部１０が表示されているので、この表示部１０を通じて例えば刈刃本体１の社名、商品名、商品の指標、品質、スローガン、取り扱い説明、注意等を正確に把握することができ、使用の一助をなす。
【００２５】
また、上記説明では、刈刃本体１の取付孔６の周囲に貼着される合成樹脂柔軟シートＳよりなる緩衝膜体８は、全体形状が略環状に形成されることにより刈刃本体１の取付孔６の周囲に全体に貼着する場合を代表的に説明しているが、緩衝膜体８は例えば図３に示するものに限られることなく、図６に示すように例えば全体形状が平面略半環状に形成され、中央には前記取付孔６よりも小径な円弧状内縁部が設けられることにより、２個の緩衝膜体８を刈刃本体１の取付孔６を中心としてその周囲に部分的に、しかも全体的には取付孔６を中心に同心的に貼着する場合にも上記実施形態１と同様に刈刃本体１の取付孔６内にギヤケース４の取付螺軸５を挿入して該取付螺軸５に刈刃本体１を取付けると、刈刃本体１の取付孔６内に遊離されている緩衝膜体８の遊離端８ａは取付螺軸５が挿入される座金９の立壁部９ａに外側（半径方向に向かって）押圧され、取付孔６の内周面に接触するように介装される。そして、回転刈刃が回転される場合に、この緩衝膜体８および内周縁に突設した遊離端８ａが発揮する柔軟な緩衝作用により回転刈刃の振動が低減される等の作用・効果がある。なお、図には示さないが、緩衝膜体８をさらに細分割して切刃本体１に設ける取付孔６の周囲に取付孔６を中心に同心円的に貼着する場合にも緩衝膜体８および内周縁に突設した遊離端８ａの柔軟な緩衝作用により回転刈刃の振動が低減されるという作用・効果を発揮することができる。
【００２６】
また、図７乃至図８に示すものは本考案の刈払機用の回転刈刃を梱包するために使用される包装容器の第１実施形態を示す。
この実施形態２は、切刃２を外周に有し、刈払機の操作杆３の先端に設けるギヤケース４内の取付螺軸５に、ナット７、座金９等を用いて着脱可能に取付けるための刈払機用の回転刈刃を梱包する包装容器である。
この包装容器２０は、切刃本体１よりも径大の包装台紙部２１の上縁、下縁、左縁の三方に小幅な切曲片２２,２３,２４を切刃本体１を包み込むように内方に折曲可能に連設するとともに包装台紙部２１の一側、図示では右側には該包装台紙部２１と略同大の表装紙部２５を開閉可能に連設し、他側、図示では左側の前記折曲片２４の開放縁に突成した差込片部２４ａを前記表装紙部２５の側縁に設けた差込孔２６内に抜差可能に設けることにより形成される。
そのうえ、包装容器２０の内面略中央には、前記切刃本体１に設ける取付孔６の周囲の全部又は一部に貼着された合成樹脂柔軟シートＳよりなる緩衝膜体８の内周縁（孔部８ｂ）に嵌入される嵌入部２７を突成した構成である。
【００２７】
そして、刈払機用の回転刈刃を梱包するには、この包装容器２０の、切刃本体１よりも径大の包装台紙部２１と、この包装台紙部２１の上縁、下縁、左縁の三方に折曲可能に連設された小幅な切曲片２２,２３,２４を内方に折曲することにより切刃本体１を包み込む。  
次いで、包装台紙部２１の右側に該包装台紙部２１と略同大に連設した表装紙部２５を包装台紙部２１に対して閉じた後に、左側の前記折曲片２４に突成した差込片部２４ａを前記表装紙部２５の側縁に設けた差込孔２６内に差し込むことにより包装台紙部２１と表装紙部２５とで切刃本体１を挟持して包装容器２０内に回転刈刃を梱包するようにした点は従来のこの種の包装容器と同様の作用、梱包手順である。
【００２８】
しかしながら、本実施形態の包装容器２０では、切刃本体１に設ける取付孔６の周囲に貼着された例えばポリエチレン、ポリプロピレン、ポリスチレン、ポリアミド樹脂、ポリカーボネート樹脂等の合成樹脂柔軟シートＳよりなる緩衝膜体８の孔部８ｂ内に包装容器２０の内面に突設した嵌入部２７を嵌入する構成なので、この嵌入部２７が、刈刃本体１の取付孔６の周囲に貼着された熱可塑性の合成樹脂柔軟シートＳよりなる環状の緩衝膜体８の孔部８ｂ内に嵌入されることにより、梱包した梱包容器２０内において嵌入部２７にて刈刃本体１を確実に保持することができる。
【００２９】
そして、刈刃本体１の取付孔６の周囲に貼着された熱可塑性の合成樹脂柔軟シートＳよりなる環状の緩衝膜体８の内周縁に突成した遊離端８ａが、刈刃本体１の取付孔６の内周に挿入され、孔部８ｂ内に包装容器２０の内面に突設した嵌入部２７が遊離端８ａを介して嵌入されるため、この緩衝膜体８の遊離端８ａが取付孔６内に介装されることにより嵌入部２７との間に遊び（間隙）を生じない。そして、この緩衝膜体８の遊離端８ａの柔軟な緩衝作用により包装容器２０内において刈刃本体１が不用意にずれ動いたり、がたつきを生ずることなく、梱包される。従って、包装容器２０内に梱包された刈刃本体１の切刃２が包装容器２０の内壁に衝突するのが防止され、包装容器２０が破損を防止するとともに刈刃本体１を確実に保護して包装容器２０内に梱包が行えるので、安全に保管および運搬を行なうことができる。
【００３０】
また、図９乃至図１０は本考案の刈払機用の回転刈刃の梱包容器の他の実施形態２を示す。
【００３１】
この実施形態では、刈刃本体１の取付孔６の周囲に取付けられる緩衝膜体８が、刈刃本体１を梱包するための包装容器２０′の一部を構成するように形成される。
すなわち、この実施形態２では刈刃本体１の梱包時に、切刃本体１よりも径大な合成樹脂柔軟シートＳ′にて刈刃本体１は表面側が覆い隠され、刈刃本体１が梱包に占める外周側の残余部３１が刈刃本体１の裏面側に配した包装容器２０′の台紙部２１′に貼着され、該合成樹脂柔軟シートＳ′には、前記切刃本体１の取付孔６の周囲に全部または取付孔６を中心に部分的に、しかも全体的には同心円的に貼着される緩衝膜体８の輪郭部３２部分と、合成樹脂柔軟シートＳ′の外縁部３３から前記輪郭部３２までミシン線Ｍまたは切線が設けられ、開包時に該輪郭部３２により囲まれる緩衝膜体８は前記ミシン線Ｍまたは切線を介して前記切刃本体１の前記取付孔６の周囲に残存して貼着されるままとなり、そのほかの合成樹脂柔軟シートＳ′は台紙部２１′から剥離されて切刃本体１の梱包を解く構成となしている。
【００３２】
そして、径大な合成樹脂柔軟シートＳ′にて前記刈刃本体１は覆い隠されて刈刃本体１が梱包に占める外周側の残余部３１が、包装容器２０′の台紙部２１′に貼着されることにより刈刃本体１の梱包時の包装容器２０′の製作を合理化し、しかも径大な合成樹脂柔軟シートＳ′にて前記刈刃本体１は梱包時に周囲から弾性的に保持されるので、包装容器２０′内における刈刃本体１の不用意なずれ動きとがたつきが確実に防止された状態で梱包が行えるとともに、刈刃本体１の切刃２が包装容器２０′の内壁に衝突して破損するのが防止されるため、保管と運搬が容易かつ確実になる。
また、合成樹脂柔軟シートＳ′に透明材を用いれば、径大な合成樹脂柔軟シートＳ′にて梱包された刈刃本体１を開包することなく、梱包したまま、外部から包装容器２０′の内部の刈刃本体１の種類、材質、サイズ等を確認することができ、所望の刈刃本体１を選択したり、保管や品質の管理に便利である。
【００３３】
なお、上記説明では、刈刃本体１の取付孔６の周囲に貼着される緩衝膜体８は、単に合成樹脂柔軟シートＳ,Ｓ′により全体形状が図１ないし図５に示すように略環状に形成されたり、または図６に示すように略半環状に形成されることにより刈刃本体１の取付孔６の周囲に貼着した緩衝膜体８の内周縁が遊離端８ａを突成するので、図２に示すように刈刃本体１をギヤケース４の取付螺軸５に取付けた場合に、刈刃本体１の取付孔６内に挿入される緩衝膜体８の遊離端８ａを介して緩衝膜体８の孔部８ｂ内に座金９の立壁部９ａを挿入の上、さらに座金９内に取付螺軸５を挿入し、ナット７により締付、固定するようにして刈刃本体１を取付螺軸５に取付けているため、緩衝膜体８および緩衝膜体８の内周縁に突設した遊離端８ａが柔軟な緩衝作用を発揮し、刈払機のエンジンの回転数を６,０００ｒｐｍ程度にて回転駆動する通常の刈払作業にて、回転刈刃が回転される場合に、回転刈刃の振動が低減されるようにしているが、本考案はこれに限らず図には示さないが、刈刃本体１に対する合成樹脂柔軟シートＳ,Ｓ′の表面を波形に形成したり、または梨地面等の粗面に形成することにより刈刃本体１に対する合成樹脂柔軟シートＳ,Ｓ′の緩衝作用を一層効果的に発揮するとともに摩擦抵抗を増大して滑動を確実に防止することも本考案の適用範囲である。
【産業上の利用可能性】
【００３４】
本考案は、回転刈刃の取付孔とギヤケース内の取付螺軸との間にそれぞれの公差に伴う遊び（隙間）を生じても、しかも回転切刃の軽量化がはかられても、刈払作業における回転切刃の振動の低減が容易かつ確実はかれ、しかも構造が簡単にして製作および組付けが容易に行え、製作コストを安価になる分野・用途に適する。
【図面の簡単な説明】
【００３５】
【図１】図１は本考案の刈払機用の回転刈刃の実施形態１を示す斜視図である。
【図２】図２は同じく拡大断面図である。
【図３】図３は同じく平面図である。
【図４】図４は同じく側面図である。
【図５】図５は同じく刈刃本体を示す拡大断面図である。
【図６】図６は本考案の回転刈刃の実施形態２を示す平面図である。
【図７】図７は本考案の刈払機用の回転刈刃の包装容器を示す実施形態１を示す斜視図である。
【図８】図８は同じく分解斜視図である。
【図９】図９は同じく本考案の刈払機用の回転刈刃の包装容器を示す実施形態２を示す分解斜視図である。
【図１０】図１０は同じく合成樹脂柔軟シートを剥離して開包する状態を示す斜視図である。
【符号の説明】
【００３６】
１      刈刃本体
２      切刃
３      操作杆
４      ギヤケース
５      取付螺軸
６      取付孔
７      ナット
８      緩衝膜体
８ａ    遊離端
８ｂ    孔部
９      座金
９ａ    立壁部
１０    表示部
２０    包装容器
２０′  包装容器
Ｓ      合成樹脂柔軟シート
Ｓ′    合成樹脂柔軟シート
Ｍ      ミシン線
【図１】
0003103051.tif 000003
【図２】
0003103051.tif 000004
【図３】
0003103051.tif 000005
【図４】
0003103051.tif 000006
【図５】
0003103051.tif 000007
【図６】
0003103051.tif 000008
【図７】
0003103051.tif 000009
【図８】
0003103051.tif 000010
【図９】
0003103051.tif 000011
【図１０】
0003103051.tif 000012